【手続補正書】
【提出日】平成25年11月12日(2013.11.12)
【手続補正１】
【補正対象書類名】特許請求の範囲
【補正対象項目名】全文
【補正方法】変更
【補正の内容】
【特許請求の範囲】
【請求項１】
ソース電子デバイスから対象電子デバイスへ暗号化された媒体データ・ファイルを転送する方法であって、
暗号化された媒体データ・ファイルが前記対象電子デバイスへの転送に利用可能であるという指示を前記ソース電子デバイスから受信するステップと、
前記対象電子デバイスが有効加入を有することを媒体配信システムに示すための対象デバイス・ライセンスを前記ソース電子デバイスに提供するステップであって、前記媒体データ・ファイルが該媒体配信システムから該ソース電子デバイスに転送され、該対象デバイス・ライセンスが該対象電子デバイスに特有のものであり、且つ前記暗号化された媒体データ・ファイルのためのソースデバイス・ライセンスとは異なる、ステップと、
前記暗号化された媒体データ・ファイルを前記ソース電子デバイスから受信するステップと、
前記対象電子デバイスが有効加入を有することに応答して、前記受信された暗号化された媒体データ・ファイルを前記対象電子デバイスの記憶デバイス内に記憶するステップと、
前記暗号化された媒体データ・ファイルを前記対象電子デバイスで解読して、解読された媒体データ・ファイルを生成するステップと、
前記解読された媒体データ・ファイルを前記対象電子デバイスでレンダリングするステップと、を含む、方法。
【請求項２】
前記対象デバイス・ライセンスが前記暗号化された媒体データ・ファイルのための有効デバイス・ライセンスであり、該対象デバイス・ライセンスが前記加入の満了日を前記媒体配信システムに提供するための時間切れ識別子を含む、
請求項１に記載の方法。
【請求項３】
前記媒体配信システムへの前記加入の満了に応答して、前記暗号化された媒体データ・ファイルの解読を不能にするステップ、または該暗号化された媒体データ・ファイルのレンダリングを止めるステップ、を更に含む、請求項１に記載の方法。
【請求項４】
前記対象電子デバイスが無効加入を有することを示すステップを更に備え、該示すステップが、
前記加入が、
所定の時間期間の満了、及び
有効デバイス・ライセンスが、前記所定の時間期間中に前記対象電子デバイスに提供されていないこと、
の後に無効であることを示すことを更に含む、請求項１に記載の方法。
【請求項５】
前記ソース電子デバイスが有効加入を有することの指示を提供することに応答して、前記暗号化された媒体データ・ファイルを前記ソース電子デバイスから前記対象電子デバイスに転送することをさらに備える、請求項１に記載の方法。
【請求項６】
前記対象デバイス・ライセンスが前記媒体配信システムによって生成され、該対象デバイス・ライセンスが、時間切れ識別子、対象デバイス・デジタル証明書、及びユーザ暗号化鍵を含む、請求項１に記載の方法。
【請求項７】
前記対象デバイス・ライセンスが認可サービス・デジタル証明書を更に含む、請求項６に記載の方法。
【請求項８】
請求項１乃至７のいずれか一項に記載の方法を実現するためのステップをコンピュータに実行させるためのコンピュータ・プログラム。
【請求項９】
請求項１乃至７のいずれか一項に記載の方法を実行するための装置。
【請求項１０】
媒体データ・ファイルをソース電子デバイスから対象電子デバイスに転送する方法であって、
暗号化された媒体データ・ファイルが対象電子デバイスへの転送に利用可能であることを示すステップと、
前記媒体データ・ファイルを対象電子デバイスに転送する表示を前記ソース電子デバイスで受信するステップと、
前記対象電子デバイスが有効加入を有している指示を該対象電子デバイスから受信するステップであり、該指示が対象デバイス・ライセンスを含み、該対象デバイス・ライセンスが該対象電子デバイスに特有のものであり、且つ前記ソース電子デバイスのデバイス・ライセンスとは異なる、ステップと、
前記媒体データ・ファイルを転送するための前記表示に応答して、前記媒体データ・ファイルを前記対象電子デバイスに転送するステップと、
前記対象電子デバイスが有効加入を有することに応答して、前記対象電子デバイス上で前記媒体データ・ファイルをレンダリングすることを可能にするステップと、を含む方法。
【請求項１１】
所定の時間期間の満了後に、前記加入が無効であることを示し、
前記加入が無効であると示すことに応答して、前記暗号化された媒体ファイルの解読を不能にするステップ、または前記暗号化された媒体ファイルの前記レンダリングを止めるステップ、をさらに含む、請求項１０に記載の方法。
【請求項１２】
前記対象デバイス・ライセンスの完全性を確認することをさらに含む、請求項１０に記載の方法。
【請求項１３】
前記対象デバイス・ライセンスが、認可サービスによってデジタル署名される、請求項１０に記載の方法。
【請求項１４】
前記対象デバイス・ライセンスが前記媒体配信システムによって生成され、該対象デバイス・ライセンスが、時間切れ識別子、対象デバイス・デジタル証明書、及びユーザ暗号化鍵を含む、請求項１０に記載の方法。
【請求項１５】
前記対象デバイス・ライセンスが認可サービス・デジタル証明書を更に含む、請求項１４に記載の方法。
【請求項１６】
請求項１０乃至１５のいずれか一項に記載の方法を実現するためのステップをコンピュータに実行させるためのコンピュータ・プログラム。
【請求項１７】
請求項１０乃至１５のいずれか一項に記載の方法を実行するための装置。
【請求項１８】
ソース・デバイスから対象デバイスにコンテンツを転送する方法であって、
前記対象デバイスから対象デバイス・ライセンスを受信するステップであって、該対象デバイス・ライセンスが、認可サービスによってデジタル署名される、ステップと、
前記対象デバイス・ライセンスの完全性を確認するステップと、
前記ソース・デバイスと前記対象デバイスの間に安全通信チャネルを確立するステップと、
前記安全通信チャネルを使用して、前記ソース・デバイスから前記対象デバイスに少なくとも１つの媒体データ・ファイルを転送するステップと、を含む方法。
【請求項１９】
前記対象デバイス・ライセンスから、前記対象デバイスに関連付けられた加入の時間切れ識別子を獲得するステップをさらに含む、請求項１８に記載の方法。
【請求項２０】
前記加入が有効かつ最新であるかを決定するために、前記時間切れ識別子をシステム・クロックと比較するステップと、
前記加入が有効でなく、且つ最新ではないとの決定に応答して、前記少なくとも１つの媒体データ・ファイルの転送を禁止するステップと、をさらに含む、請求項１９に記載の方法。
【請求項２１】
前記対象デバイスから対象デバイス・デジタル証明書を受信するステップと、
前記対象デバイス・デジタル証明書の完全性を確認するステップと、をさらに含む、請求項１８乃至２０のいずれか一項に記載の方法。
【請求項２２】
前記ソース・デバイスからソース・デバイス・デジタル証明書を受信するステップと、
前記ソース・デバイス・デジタル証明書の完全性を確認するステップと、をさらに含む、請求項１８乃至２１のいずれか一項に記載の方法。
【請求項２３】
前記対象デバイス・ライセンスが、
前記対象デバイスに関連付けられた加入を識別するユーザＩＤ、
チャレンジ、
対象デバイス・デジタル証明書、
認可サービス・デジタル証明書、
システム時間識別子、
ユーザ暗号化鍵、および
前記加入の時間切れ識別子、
の少なくとも１つを含む、請求項１８乃至２２のいずれか一項に記載の方法。
【請求項２４】
少なくとも１つの媒体データ・ファイルを転送することが、
前記少なくとも１つの媒体データ・ファイルを前記ソース・デバイスのユーザから脱結合して、少なくとも１つの脱結合された媒体データ・ファイルを生成するステップと、
前記安全通信チャネルを使用して、前記少なくとも１つの脱結合された媒体データ・ファイルを前記ソース・デバイスから前記対象デバイスに転送するステップと、
前記ユーザ暗号化鍵を使用して、前記少なくとも脱結合された１つの媒体データ・ファイルを前記対象デバイスのユーザに結合するステップと、を含む、請求項２３に記載の方法。
【請求項２５】
前記少なくとも１つの脱結合された媒体データ・ファイルを前記対象デバイスのユーザに結合することが、
前記ユーザ暗号化鍵を使用して、前記少なくとも１つの脱結合された媒体データ・ファイルのコンテンツ暗号化鍵を暗号化するステップを含む、請求項２４に記載の方法。
【請求項２６】
前記安全通信チャネルが、無線通信チャネルである、請求項１８乃至２５のいずれか一項に記載の方法。
【請求項２７】
前記安全通信チャネルが、有線通信チャネルである、請求項１８乃至２５のいずれか一項に記載の方法。
【請求項２８】
安全通信チャネルを確立することが、
前記ソース・デバイスの第１および前記対象デバイスに関してランダム・セッション・キーを生成するステップと、
前記ランダム・セッション・キーを前記ソース・デバイスの他方および前記対象デバイスに提供するステップと、を含む、請求項１８乃至２７のいずれか一項に記載の方法。
【請求項２９】
請求項１８乃至２８のいずれか一項に記載の方法を実現するためのステップをコンピュータに実行させるためのコンピュータ・プログラム。
【請求項３０】
請求項１８乃至２８のいずれか一項に記載の方法を実行するための装置。
【請求項３１】
デバイス初期化方法であって、
パーソナル媒体デバイスのライセンス要求を媒体配信システムに提供するステップであって、該パーソナル媒体デバイスは加入に関連付けられている、ステップと、
前記ライセンス要求の送信に応答して、前記パーソナル媒体デバイスのデバイス・ライセンスを前記媒体配信システムから受信するステップであって、該パーソナル媒体デバイスの該デバイス・ライセンスが該パーソナル媒体デバイスに特有であり、該デバイス・ライセンスが、
前記媒体配信システムの時間を示すように構成されたシステム時間識別子と、
前記加入の満了日を示すための時間切れ識別子と、
デジタル署名と、
を含む、ステップと、
前記デジタル署名を用いて、前記デバイス・ライセンスの完全性を確認するステップと、
前記パーソナル媒体デバイスに関連するシステム・クロック及び前記時間切れ識別子を用いて、該パーソナル媒体デバイスに関連する前記加入が満了しているかどうかを判定するステップであって、該システム・クロックが前記システム時間識別子を用いて前記媒体配信システムの時間と同期されている、ステップと、
前記デバイス・ライセンスの完全性を確認し、前期パーソナル媒体デバイスに関連する前記加入が満了していないと判定した上で、前記パーソナル媒体デバイス上でレンダリングするために前記媒体配信システムの媒体コンテンツを提供するステップと、
を含むデバイス初期化方法。
【請求項３２】
前記ライセンス要求が、
前記加入を識別するユーザＩＤ、チャレンジ、および前記第１のコンピュータ（１２）のデバイス・デジタル証明書の少なくとも１つを含む、請求項３１に記載の方法。
【請求項３３】
署名済みライセンス要求を形成するために、前記ライセンス要求にデジタル署名することをさらに含む、請求項３１に記載の方法。
【請求項３４】
前記署名済みライセンス要求の完全性を確認することをさらに含む、請求項３３に記載の方法。
【請求項３５】
前記デバイス・ライセンスが、
認可サービス・デジタル証明書、およびユーザ暗号化鍵の少なくとも１つを更に含む、請求項３１に記載の方法。
【請求項３６】
請求項３１乃至３５のいずれか一項に記載の方法を実現するためのステップをコンピュータに実行させるためのコンピュータ・プログラム。
【請求項３７】
請求項３１乃至３５のいずれか一項に記載のデバイス初期化方法を実行するための装置。